(57)【特許請求の範囲】
【請求項１】
既設回線に接続された一対の接続端子からなるＰＡＴコネクタを分離すると共に新設回線のＰＡＴコネクタを嵌合接続するためのＰＡＴコネクタ係脱装置において、接続用ケースの上面両側に既設回線と新設回線の一方の接続端子を保持するコネクタ固定台座を設け、その固定台座間の接続用ケースの上面に、その両側の固定台座に対向して既設回線と新設回線の他方の接続端子を背合わせに保持するコネクタ固定台座を往復移動自在に設け、上記ケース内に上記コネクタ固定台座を往復移動してコネクタを係脱するアクチュエータ手段を設け、そのアクチュエータ手段に、それぞれ係脱両方向にアクチュエータ手段を作動する圧気供給排気口を設けたことを特徴とするＰＡＴコネクタ係脱装置。
【発明の詳細な説明】
【０００１】
【発明の属する技術分野】
本発明は、通信ケーブルの接続に用いられるＰＡＴコネクタに係り、特にＰＡＴコネクタを係脱するＰＡＴコネクタ係脱装置に関するものである。
【０００２】
【従来の技術】
通信ケーブルの接続に用いられるＰＡＴコネクタを嵌合及び分離させて通信ケーブルを接続及び切離させる装置としては、本出願人案出のＰＡＴコネクタ自動係脱装置（実願平３−８３９９８号公報）が広く知られている。このＰＡＴコネクタ自動係脱装置は、ＰＡＴコネクタが取り付けられたレバをカム機構と駆動モータとにより縦横に動かして接続するＰＡＴコネクタを切り替えるものであり、駆動モータで自動的にＰＡＴコネクタを切り替えることができるという点で優れた装置である。
【０００３】
【発明が解決しようとする課題】
しかしながら、このＰＡＴコネクタ自動係脱装置は、ＰＡＴコネクタを縦方向に移動させるためのカム及びレバと、横方向に移動させるためのカム及びレバとを備えるため、機構が複雑なうえに装置全体が大形化し、持ち運びや取扱いが困難であるという課題があった。
【０００４】
そこで、本発明の目的は、上記課題を解決し、持ち運びや取扱いが容易な小形かつ簡易なＰＡＴコネクタ係脱装置を提供することにある。
【０００５】
【課題を解決するための手段】
上記目的を達成するために請求項１に記載の発明は、既設回線に接続された一対の接続端子からなるＰＡＴコネクタを分離すると共に新設回線のＰＡＴコネクタを嵌合接続するためのＰＡＴコネクタ係脱装置において、接続用ケースの上面両側に既設回線と新設回線の一方の接続端子を保持するコネクタ固定台座を設け、その固定台座間の接続用ケースの上面に、その両側の固定台座に対向して既設回線と新設回線の他方の接続端子を背合わせに保持するコネクタ固定台座を往復移動自在に設け、上記ケース内に上記コネクタ固定台座を往復移動してコネクタを係脱するアクチュエータ手段を設け、そのアクチュエータ手段に、それぞれ係脱両方向にアクチュエータ手段を作動する圧気供給排気口を設けたものである。
【０００６】
【発明の実施の形態】
本発明の好適実施の形態を添付図面に基づいて詳述する。
【０００７】
図１及び図２に示すように、ＰＡＴコネクタ係脱装置１は、接続用ケース２と、コネクタ固定台座３ａ，３ｂ，３ｃと、アクチュエータ手段４とからなる。
【０００８】
接続用ケース２は、コネクタ固定台座３ａ，３ｂ，３ｃを支承すると共にアクチュエータ手段４を気密に囲繞するものであり、略直方体の形状を有する。接続用ケース２の上部には、コネクタ固定台座３ｃを往復移動自在に設けるための矩形の開口５が設けられており、接続用ケース２の前後（以後、図１の右手前方向を前方とし、左奥方向を後方とする）の上部内面には後述する移動台座３ｃを摺動自在に案内するレール１４がそれぞれ設けられている。接続用ケース２の下端には、ＰＡＴコネクタ係脱装置１を梁や支持金具６等に着脱自在に取付けるための取付け具７が設けられており、ＰＡＴコネクタ係脱装置１を固定することができるようになっている。
【０００９】
取付け具７は、下方に開口したコ字状のものであり、その間に梁等を介在させると共に締付ボルト３０で梁等を締め付けて固定するようになっている。支持金具６は、取付け具７を固定させるための支持梁３１と、柱等の立設物に支持金具６を固定するための固定金具３２とからなる。支持梁３１は、金属製の角柱からなる。固定金具３２は、柱等の形状にあわせてコ字状に形成されたものであり、開口側の側板に支持梁３１を貫通させるための貫通孔３３，３３が形成されている。また、固定金具３２の支持梁３１と対向する面３４には、この面３４に垂直に貫通して螺合する固定ネジ３５が設けられており、固定ネジ３５の先端と支持梁３１とで柱等を挟んで固定するようになっている。
【００１０】
コネクタ固定台座３ａ，３ｂ，３ｃは、図３及び図４に示すように、一対一組でＰＡＴコネクタを構成する第１接続端子８ａ，第２接続端子８ｂ，第３接続端子８ｃ及び第４接続端子８ｄを接続用ケース２の上部に取付けるためのものであり、接続用ケース２の上部両側に配置される側部台座３ａ，３ｂと、これら側部台座３ａ，３ｂの間を往復移動する移動台座３ｃとからなる。
【００１１】
側部台座３ａ，３ｂは、それぞれ略角柱状の形状をしており、接続用ケース２の上面両側に開口５を挟んでそれぞれ平行かつ相対向して強固に設けられている。側部台座３ａ，３ｂの側端上部には、接続端子８ａ，８ｂの接続端９ａ，９ｂを開口５側に向けて支持し、接続端子８ａ，８ｂを嵌合方向後方から支えるための背押部１０ａ，１０ｂが上方に突出して形成されており、背押部１０ａ，１０ｂの開口５側には接続端子８ａ，８ｂを側部台座３ａ，３ｂ上に係止させて固定するための係合突起１１が上方に突出して設けられている。このようにして、接続端子８ａ，８ｂは、水平方向にずれないようになっている。
【００１２】
移動台座３ｃは、上記側部台座３ａ，３ｂ間を往復移動していずれか一方の側部台座上に取付けられたＰＡＴコネクタを嵌合状態にすると共に他方の側部台座上に取付けられたＰＡＴコネクタを分離状態にするためのものであり、台座部１２と、ガイド部１３とからなる。
【００１３】
台座部１２は、側部台座３ａ，３ｂの上に取付けられた接続端子８ａ，８ｂに嵌合される接続端子８ｃ，８ｄを平行かつ背合わせに支持するためのものであり、略角柱状の形状をしている。台座部１２の長手方向の中央上面には、接続端子８ｃ，８ｄの接続端９ｃ，９ｄを側方に向けて支持し、接続端子８ｃ，８ｄを嵌合方向後方から支えるための背押部１０ｃが上方に突出して形成されており、背押部１０ｃの側方には接続端子８ｃ，８ｄを移動台座３ｃ上に係止させて固定するための係合突起１１が上方に突出して設けられている。
【００１４】
ガイド部１３は、移動台座３ｃが接続用ケース２の上面に沿って側部台座３ａ，３ｂ間を往復移動できるように案内すると共に接続用ケース２の開口５を気密に塞ぐためのものであり、矩形板状に形成されている。ガイド部１３上には台座部１２が強固に固定して設けられ、ガイド部１３が往復移動すると台座部１２も一緒に往復移動するようになっている。
【００１５】
ガイド部１３の前後端は、接続用ケース２の内面に接しており、接続用ケース２の上部内面に形成されたレール１４に下面を支承されている。ガイド部１３の両側端は、接続用ケース２の開口５の幅（両側間の長さ）よりも短く形成されており、開口５を両側方向に往復移動できるように形成されている。また、ガイド部１３の両側端は、接続用ケース２の上部両側に配置されている側部台座３ａ，３ｂの底面に常に接しており、開口５は、ガイド部１３と側部台座３ａ，３ｂとにより気密に密閉されている。
【００１６】
アクチュエータ手段４は、移動台座３ｃを往復移動させて接続端子８ａ，８ｂ，８ｃ，８ｄを係脱するためのものであり、空気室１５，１５と、移動隔壁２３とからなる。
【００１７】
空気室１５，１５は、接続用ケース２の内部に形成されたものであり、移動隔壁２３により左右に分割されている。空気室１５，１５には、アクチュエータ手段４を作動させるための圧気供給排気口１６，１６がそれぞれ設けられており、この圧気供給排気口１６，１６を介して空気を供給乃至排出し、空気室１５，１５内の空気圧を変えることができるようになっている。圧気供給排気口１６，１６にはそれぞれ流量調整弁１７，１７が設けられており、空気の流量を調節できるようになっている。また、圧気供給排気口１６，１６には圧気供給排気管１８，１８の一端がそれぞれ気密に接続されており、圧気供給排気管１８，１８を介して空気が出入りするようになっている。
【００１８】
移動隔壁２３は、移動台座３ｃに左右いずれかの方向に向かう力を与えて移動台座３ｃを駆動するためのものであり、空気室１５，１５のそれぞれの気圧の変化により側方に往復運動するように空気室１５，１５を左右に気密に分割している。移動隔壁２３は、矩形の板であり、上端はガイド部１３の下端面に強固に固定されている。移動隔壁２３の前端、後端及び下端は接続用ケース２の内面に常に気密に接触している。
【００１９】
なお、圧気供給排気管１８の他端には、方向切替弁（図示せず）を介して圧気供給装置（図示せず）に接続されており、左右いずれか一方の空気室１５に圧気が供給されるようになっていると共に他方の空気室１５内の空気が外部に放出されるようになっている。
【００２０】
また、図３に示すように、接続端子８ａ，８ｂ，８ｃ，８ｄにはそれぞれ通信ケーブルが接続されており、第１接続端子８ａと第３接続端子８ｃあるいは第２接続端子８ｂと第４接続端子８ｄのいずれかを介して維持側既設回線１９ａと新設回線１９ｂあるいは維持側既設回線１９ａと切替側既設回線１９ｃが接続されている。これらの通信回線同志の接続は、接続回線の切替え時に瞬断が発生しないようになされており、少なくとも維持側既設回線１９ａと新設回線１９ｂあるいは維持側既設回線１９ａと切替側既設回線１９ｃのうち一方は必ず接続されているようになっている。
【００２１】
具体的には、維持側既設回線１９ａは、第１接続端子８ａに接続され、新設回線１９ｂは、第２接続端子８ｂに接続され、切替側既設回線１９ｃは第３接続端子８ｃに接続されている。第１接続端子８ａと第３接続端子８ｃは、互いに第１通信ケーブル２０を介して接続されており、第１接続端子８ａと第３接続端子８ｃとが分離しても維持側既設回線１９ａと切替側既設回線１９ｃは切断されないようになっている。第３接続端子８ｃと第４接続端子８ｄは、第２通信ケーブル２１を介して接続されており、第４接続端子８ｄと第２接続端子８ｂを嵌合させると維持側既設回線１９ａに新設回線１９ｂが接続されるようになっている。
【００２２】
これらの各接続端子８ａ，８ｂ，８ｃ，８ｄは、図４に示すように、下面２５にそれぞれ係合孔２６が設けられており、この係合孔２６にコネクタ固定台座３ａ，３ｂ，３ｃの上面に設けられた係合突起１１が嵌め合わされてコネクタ固定台座３ａ，３ｂ，３ｃ上に固定される。
【００２３】
次に作用を述べる。
【００２４】
第１接続端子８ａと第３接続端子８ｃとが嵌合されており、維持側既設回線１９ａと切替側既設回線１９ｃとが接続されている状態から、維持側既設回線１９ａと新設回線１９ｂとが接続された状態にする場合、圧気供給排気口１６，１６の流量調整弁１７，１７を調節して開放した後、圧気供給装置と共に方向切替弁を作動させ、第１接続端子８ａの側の空気室１５に圧気を供給する。
【００２５】
こうすることにより、この空気室１５内の空気圧は上昇し、移動隔壁２３は第２接続端子８ｂの側に移動しはじめる。移動隔壁２３の上端は移動台座３ｃに固定され、第１接続端子８ａは係合孔２６及び係合突起１１を介して側部台座３ａに固定され、第３接続端子８ｃは係合孔２６及び係合突起１１を介して移動台座３ｃに固定されているため、移動台座３ｃも同時に移動しはじめ、第１接続端子８ａと第３接続端子８ｃとは分離される。この状態において、維持側既設回線１９ａと切替側既設回線１９ｃとは第１通信ケーブル２０を介して接続されており、通信の瞬断は発生しない。
【００２６】
そして、第１接続端子８ａとは反対側の側端に設けられている第２接続端子８ｂと、移動台座３ｃ上の第４接続端子８ｄとが嵌合され、移動隔壁２３及び移動台座３ｃは止まる。この状態において、第１接続端子８ａと第３接続端子８ｃとが第１通信ケーブル２０を介して接続され、第３接続端子８ｃと第４接続端子８ｄとが第２通信ケーブル２１を介して接続されているため、維持側既設回線１９ａと切替側既設回線１９ｃとが接続された状態のまま維持側既設回線１９ａに新設回線１９ｂが接続される。つまり、無瞬断のまま切替側既設回線１９ｃから新設回線１９ｂへの回線の切り替えが達成される。その後、流量調整弁１７，１７を完全に閉じると、空気室１５，１５が完全に密閉され、移動隔壁２３及び移動台座３ｃの移動はロックされる。
【００２７】
この状態から第１接続端子８ａと第３接続端子８ｃとが嵌合された状態に戻す場合、圧気供給排気口１６，１６の流量調整弁１７，１７を調節して開放した後、圧気供給装置と共に方向切替弁を作動させ、第２接続端子８ｂの側の空気室１５に圧気を供給する。
【００２８】
こうすることにより、この空気室１５内の空気圧は上昇し、移動隔壁２３と共に移動台座３ｃは第１接続端子８ａの側に移動しはじめる。そして、第２接続端子８ｂと第４接続端子８ｄとは分離され、第１接続端子８ａと第３接続端子８ｃとが嵌合される。この際、維持側既設回線１９ａと切替側既設回線１９ｃとは、接続された状態のままであるため、無瞬断のまま新設回線１９ｂから切替側既設回線１９ｃへの回線の切り替えが達成される。
【００２９】
このように、接続用ケース２の上面両側に維持側既設回線１９ａと新設回線１９ｂの接続端子８ａ，８ｂを保持する側部台座３ａ，３ｂを設け、その側部台座３ａ，３ｂ間の接続用ケース２の上面に、側部台座３ａ，３ｂに対向して切替側既設回線１９ｃに接続される第３接続端子８ｃと新設回線１９ｂに嵌合される第４接続端子８ｄを背合わせに保持する移動台座３ｃを往復移動自在に設け、接続用ケース２内に移動台座３ｃを往復移動してＰＡＴコネクタ８ａ，８ｂ，８ｃ，８ｄを係脱するアクチュエータ手段４を設け、アクチュエータ手段４に、それぞれ係脱両方向にアクチュエータ手段４を作動する圧気供給排気口１６，１６を設けたため、ＰＡＴコネクタ８ａ，８ｂ，８ｃ，８ｄの嵌合及び分離を小形かつ簡易な装置で行うことができる。
【００３０】
維持側既設回線１９ａと切替側既設回線１９ｃとを第１通信ケーブル２０で接続したため、既設回線側に接続されたＰＡＴコネクタ８ａ，８ｃを互いに分離させても無瞬断の状態に保つことができる。
【００３１】
移動台座３ｃを空気圧で動かすため、モータ等ノイズ発生の元となる駆動源を通信ケーブルから離すことができる。
【００３２】
圧気供給排気口１６，１６に流量調整弁１７，１７を設けたため、空気室１５，１５を完全に密閉することができ、移動隔壁２３及び移動台座３ｃの移動をロックすることができる。
【００３３】
なお、回線の接続は、維持側既設回線１９ａを移動台座３ｃ上の、接続端子８ｃ，８ｄに接続してもよい。ただし、この場合、切替側既設回線１９ｃは、側部台座に取り付けられた接続端子８ａ又は接続端子８ｂであって、かつ、新設回線１９ｂが接続されていない方の接続端子に接続する必要がある。
【００３４】
【発明の効果】
以上要するに本発明によれば、ＰＡＴコネクタの嵌合及び分離を小形かつ簡易な装置で行うことができるという優れた効果を奏する。
【図面の簡単な説明】
【図１】本発明の好適実施の形態を示すＰＡＴコネクタ係脱装置の斜視図である。
【図２】図１のＩＩ−ＩＩ線矢視断面図である。
【図３】ＰＡＴコネクタ係脱装置上のＰＡＴコネクタ間の接続状態を示す斜視図である。
【図４】図３の接続状態を下方から見た斜視図である。
【符号の説明】
２  接続用ケース
３ａ  側部台座（コネクタ固定台座）
３ｂ  側部台座（コネクタ固定台座）
３ｃ  移動台座（コネクタ固定台座）
４  アクチュエータ手段
８ａ  第１接続端子（ＰＡＴコネクタ）
８ｂ  第２接続端子（ＰＡＴコネクタ）
８ｃ  第３接続端子（ＰＡＴコネクタ）
８ｄ  第４接続端子（ＰＡＴコネクタ）
１６  圧気供給排気口
１９ａ  維持側既設回線（既設回線）
１９ｂ  新設回線
１９ｃ  切替側既設回線（既設回線）
【図１】
0003553704.tif 000002
【図２】
0003553704.tif 000003
【図３】
0003553704.tif 000004
【図４】
0003553704.tif 000005